(57)【特許請求の範囲】
【請求項１】
表面に感光層が形成された像担持体と、
該像担持体の表面をトナーの帯電極性と同極性に帯電させる帯電装置と、
該帯電装置により均一に帯電された前記像担持体表面を露光走査して前記像担持体上に静電潜像を形成する露光装置と、
前記像担持体の回転方向に対し前記帯電装置の下流側に配置され、前記静電潜像にトナーを付着させて前記像担持体上にトナー像を形成する現像装置と、
前記像担持体の回転方向に対し前記現像装置の下流側に前記像担持体に接触するように配置されて転写ニップ部を形成し、前記転写ニップ部を通過する記録媒体にトナー像を転写する転写部材と、
記録媒体収納部に収納された記録媒体を一枚ずつ分離して給送する給送ユニットと、
該給送ユニットから給送された記録媒体を一旦停止させるとともに所定タイミングで前記転写ニップ部に再搬送するレジストローラー対と、
を備えた画像形成装置において、
前記給送ユニットと前記レジストローラー対との間の記録媒体搬送路には、記録媒体との摩擦により記録媒体を前記像担持体の帯電極性と同極性に帯電させる材料で形成された搬送ガイド部材が配置されており、
前記給送ユニットまたは前記レジストローラー対の少なくとも一方における記録媒体の搬送速度を可変させることにより、記録媒体の前記像担持体との接触面を前記搬送ガイド部材に摺擦させる記録媒体帯電モードを実行可能としたことを特徴とする画像形成装置。
【請求項２】
前記像担持体の表面電位の変化に応じて前記レジストローラー対または前記給送ユニットの少なくとも一方の記録媒体搬送速度を可変させる制御部を備え、
前記制御部は、前記像担持体の表面電位が所定値よりも低下した場合に前記レジストローラー対における記録媒体の搬送速度を前記給送ユニットよりも速くする前記記録媒体帯電モードを実行することを特徴とする請求項１に記載の画像形成装置。
【請求項３】
前記給送ユニットにおける記録媒体の搬送速度を前記レジストローラー対よりも速くする帯電抑制モードを実行可能であり、
前記制御部は、前記像担持体の表面電位が所定値よりも上昇した場合に前記記録媒体帯電モードを実行することを特徴とする請求項２に記載の画像形成装置。
【請求項４】
前記記録媒体帯電モードにおいて前記搬送ガイド部材に摺擦される記録媒体の搬送方向の長さは、前記像担持体１周分の長さ以上であることを特徴とする請求項１乃至請求項３のいずれかに記載の画像形成装置。
【請求項５】
前記記録媒体搬送路は、記録媒体の前記像担持体との接触面が内コーナー側となるように湾曲する湾曲部を有しており、前記搬送ガイド部材は、前記湾曲部の内コーナー面を構成することを特徴とする請求項１乃至請求項４のいずれかに記載の画像形成装置。
【請求項６】
前記像担持体の帯電極性が正であり、前記搬送ガイド部材は、記録媒体より帯電系列が下位である合成樹脂で形成されることを特徴とする請求項１乃至請求項５のいずれかに記載の画像形成装置。
【発明の詳細な説明】
【技術分野】
【０００１】
本発明は、電子写真方式を利用した複写機、プリンター、ファクシミリ等の画像形成装置に関し、特に、感光体及び記録媒体の帯電に関するものである。
【背景技術】
【０００２】
コピー機、プリンター、ファクシミリ等の電子写真方式を用いる画像形成装置においては、主に粉末の現像剤（トナー）が使用され、感光体ドラム（像担持体）表面の感光層を帯電装置によって所定の表面電位（トナーの帯電極性と同極性）に帯電させた後、露光装置によって感光体ドラム上に静電潜像を形成する。そして、形成された静電潜像を現像装置内のトナーによって可視化し、そのトナー像を感光体ドラムと感光体ドラムに接触する転写部材とのニップ部（転写ニップ部）を通過する記録媒体上に転写した後、定着処理を行うプロセスが一般的である。このとき、トナー像の記録媒体への転写工程は、転写部材にトナーの帯電極性と逆極性の転写バイアスを印加した状態で行われる。
【０００３】
上述したような画像形成装置では、帯電装置を構成する帯電ローラー等の帯電部材の経時劣化や、画像形成装置の使用環境（温湿度）による帯電不足、転写部材に印加される転写バイアスの過剰等により、感光体ドラムの回転軸方向の全域に亘って表面電位が通常よりも低下することがある。その結果、画像カブリ等の画像不良が発生するという問題点があった。
【０００４】
一方、用紙を円滑に搬送するために、用紙搬送路の湾曲部には合成樹脂製のガイド部材が設けられている。一般に合成樹脂の帯電序列（帯電系列）は用紙よりも下位であるため、合成樹脂製のガイド部材に用紙が強く擦られると、用紙がプラスに摩擦帯電されることが知られている。そこで、特許文献１には、例えば用紙との帯電序列（帯電系列）が合成樹脂とは逆の接触部材を用紙搬送路上に設けることにより、合成樹脂製のガイドに擦られた用紙のプラス帯電を減少させるようにした画像形成装置が開示されている。
【先行技術文献】
【特許文献】
【０００５】
【特許文献１】特開２００３−１３７４５４号公報
【発明の概要】
【発明が解決しようとする課題】
【０００６】
特許文献１の技術は、用紙が感光体ドラムの帯電極性と同極性（プラス）に帯電することで、転写ニップ部に搬送された用紙と感光体ドラムとの間で異常放電が発生し、転写ニップ部で転写されるトナー像が乱れるという画像劣化を改善するものであり、用紙の帯電による感光体の表面電位への影響は考慮されていなかった。そのため、感光体ドラムの特性によっては感光体ドラムの帯電極性と逆極性（マイナス）に帯電された用紙が感光体ドラムの帯電を弱める方向に作用し、画像カブリや濃度ムラが発生するおそれがあった。
【０００７】
本発明は、上記問題点に鑑み、記録媒体の帯電を利用して像担持体の表面電位の低下を抑制することにより、常に安定した画像形成が可能な画像形成装置を提供することを目的とする。
【課題を解決するための手段】
【０００８】
上記目的を達成するために本発明の第１の構成は、像担持体と、帯電装置と、露光装置と、現像装置と、転写部材と、給送ユニットと、レジストローラー対と、を備えた画像形成装置である。像担持体は、表面に感光層が形成される。帯電装置は、像担持体の表面をトナーの帯電極性と同極性に帯電させる。露光装置は、帯電装置により均一に帯電された像担持体表面を露光走査して像担持体上に静電潜像を形成する。現像装置は、像担持体の回転方向に対し帯電装置の下流側に配置され、静電潜像にトナーを付着させて像担持体上にトナー像を形成する。転写部材は、像担持体の回転方向に対し現像装置の下流側に像担持体に接触するように配置されて転写ニップ部を形成し、転写ニップ部を通過する記録媒体にトナー像を転写する。給送ユニットは、記録媒体収納部に収納された記録媒体を一枚ずつ分離して給送する。レジストローラー対は、給送ユニットから給送された記録媒体を一旦停止させるとともに所定タイミングで転写ニップ部に再搬送する。給送ユニットとレジストローラー対との間の記録媒体搬送路には、記録媒体との摩擦により記録媒体を像担持体の帯電極性と同極性に帯電させる材料で形成された搬送ガイド部材が配置されており、給送ユニットまたはレジストローラー対の少なくとも一方における記録媒体の搬送速度を可変させることにより、記録媒体の像担持体との接触面を搬送ガイド部材に摺擦させる記録媒体帯電モードを実行可能である。
【発明の効果】
【０００９】
本発明の第１の構成によれば、帯電装置の経時劣化や画像形成装置の使用環境、印字モードの変化等により像担持体の表面電位が低下した場合に、給送ユニットまたはレジストローラー対の少なくとも一方における記録媒体の搬送速度を可変させて記録媒体の像担持体との接触面を搬送ガイド部材に摺擦させる記録媒体帯電モードを実行することで、記録媒体の搬送速度を調整するだけの簡易な制御で像担持体の表面電位の低下を効果的に解消できる。
【図面の簡単な説明】
【００１０】
【図１】本発明の一実施形態に係る画像形成装置１００の概略断面図
【図２】図１の画像形成装置１００における給送ユニット１２から画像形成部Ｐまでの用紙搬送経路を示す部分拡大図
【図３】金属製の搬送ガイドを配置した場合と、用紙１８よりも帯電系列が下位である合成樹脂製の搬送ガイド部材３０を配置した場合における、用紙１８の電位測定結果を示すグラフ
【図４】金属製の搬送ガイドを配置した場合と、用紙１８よりも帯電系列が下位である合成樹脂製の搬送ガイド部材３０を配置した場合における、感光体ドラム１の表面電位の測定結果を示すグラフ
【図５】レジストローラー対１３の線速を給紙ローラー対１２ｂよりも速くすることにより搬送ガイド部材３０と用紙１８とが強く擦られる状態を示す側面図
【図６】給紙ローラー対１２ｂの線速をレジストローラー対１３よりも速くすることにより給紙ローラー対１２ｂとレジストローラー対１３の間で用紙１８が撓んだ状態を示す側面図
【図７】本発明の画像形成装置１００における用紙帯電モードまたは帯電抑制モードの実行手順を示すフローチャート
【発明を実施するための形態】
【００１１】
以下、図面を参照しながら本発明の実施形態について説明する。図１は、本発明の一実施形態に係る画像形成装置１００の概略断面図、図２は、図１の画像形成装置１００における給送ユニット１２から画像形成部Ｐまでの用紙搬送経路を示す部分拡大図である。なお、ここでは画像形成装置１００として、モノクロ複合機について示している。画像形成装置１００本体内には、画像形成部Ｐ、定着装置９、給送ユニット１２、レジストローラー対１３、及びそれらの各装置、部材の動作を制御する制御部（ＣＰＵ）９０等が配置されている。
【００１２】
画像形成部Ｐには、感光体ドラム１の回転方向（図１の反時計回り方向）に沿って、帯電装置２、露光装置３、現像装置４、転写ローラー７、クリーニング装置８、及び除電装置（図示せず）が配設されている。画像形成部Ｐでは、感光体ドラム１を図１において反時計回り方向に回転させながら、帯電、露光、現像及び転写の各工程により感光体ドラム１にモノクロ画像を形成する画像形成プロセスが実行される。
【００１３】
感光体ドラム１は、例えばアルミドラムの表面に感光層が積層されたものであり、帯電装置２により、表面を帯電させるようになっている。そして、後述する露光装置３からのレーザービームを表面に照射することにより、帯電を減衰させた静電潜像を形成する。なお、上記の感光層は、特に限定されるものではないが、例えば耐久性に優れるアモルファスシリコン（ａ−Ｓｉ）や、帯電時のオゾンの発生が少なく高解像度の画像が得られる有機感光層（ＯＰＣ）等が好ましい。
【００１４】
帯電装置２は、感光体ドラム１の表面を均一に帯電させるものである。例えば帯電装置２として、帯電ローラーに代表される帯電部材を感光体表面に接触させた状態で電圧を印加する接触式の帯電装置が用いられる。なお、接触式の帯電装置に代えて、細いワイヤー等を電極として高電圧を印加することにより放電するコロナ放電装置を用いても良い。露光装置３は、画像読取部２１において読み取られた原稿画像データに基づいて光ビーム（例えばレーザービーム）を感光体ドラム１に照射し、感光体ドラム１の表面に静電潜像を形成する。
【００１５】
現像装置４は、感光体ドラム１の静電潜像にトナーを付着させてトナー像を形成させるものである。この現像装置４へのトナーの供給はトナーコンテナ５から中間ホッパー６を介して行われる。なお、ここでは磁性を有するトナー成分のみから構成される一成分現像剤（以下、単にトナーともいう）が現像装置４に収容されている。
【００１６】
転写ローラー７は、感光体ドラム１表面に形成されたトナー像を乱さずに用紙搬送路１１を搬送されてくる用紙１８に転写する。クリーニング装置８は、感光体ドラム１の長手方向に線接触するクリーニングローラーやクリーニングブレード等を備えており、トナー像が用紙１８に転写された後に、感光体ドラム１の表面に残った残留トナーを除去する。
【００１７】
画像読取部２１は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサー等（いずれも図示せず）から構成されており、原稿画像を読み取って画像データに変換する。
【００１８】
コピー動作を行う場合、画像読取部２１において原稿の画像データを読み取り画像信号に変換する。一方、画像形成部Ｐにおいて、帯電装置２により図１中の反時計回り方向に回転する感光体ドラム１が一様に帯電され、画像読取部２１で読み取られた原稿画像データに基づいて露光装置３が感光体ドラム１上にレーザービーム（光線）を照射することで、その画像データに基づく静電潜像を感光体ドラム１表面に形成する。その後、現像装置４が静電潜像にトナーを付着させてトナー像を形成する。
【００１９】
上記のようにトナー像が形成された画像形成部Ｐに向けて、ピックアップローラー１２ａと給紙ローラー対１２ｂとを有する給送ユニット１２により給紙カセット１０から用紙１８が送出され、用紙搬送路１１及びレジストローラー対１３を経由して画像形成部Ｐに所定のタイミングで搬送される。給送ユニット１２から画像形成部Ｐまでの用紙１８の搬送経路を図２に破線矢印Ａで示す。
【００２０】
そして、画像形成部Ｐにおいて転写ローラー７により感光体ドラム１表面のトナー像が用紙１８に転写される。トナー像が転写された用紙１８は感光体ドラム１から分離され、定着装置９に搬送されて加熱及び加圧されることで用紙１８にトナー像が定着される。定着装置９を通過した用紙１８は、複数方向に分岐した分岐部１６によって搬送方向が振り分けられる。用紙１８の片面のみに画像を形成する場合は、そのまま排出ローラー対１４によって排出トレイ１５に排出される。
【００２１】
一方、用紙１８の両面に画像を形成する場合は、定着装置９を通過した用紙１８は一旦排出ローラー対１４方向に搬送され、用紙１８の後端が分岐部１６を通過した後に排出ローラー対１４を逆回転させるとともに分岐部１６の搬送方向を切り換えることで、用紙１８の後端から反転搬送路１７に振り分けられ、画像面を反転させた状態でレジストローラー対１３に再搬送される。そして、感光体ドラム１上に形成された次の画像が転写ローラー７により用紙１８の画像が形成されていない面に転写され、定着装置９に搬送されてトナー像が定着された後、排出トレイ１５に排出される。
【００２２】
図２に示すように、給送ユニット１２とレジストローラー対１３の間の用紙搬送路１１の内面には搬送ガイド部材３０が配置されている。搬送ガイド部材３０は、用紙１８よりも帯電系列が下位である合成樹脂（例えばフッ素樹脂）によって断面円弧状に形成されており、用紙搬送路１１の湾曲部１１ａの内側面（内コーナー面）を構成している。搬送ガイド部材３０の用紙幅方向（図２の紙面と垂直な方向）の寸法は、用紙搬送路１１を通過する最大サイズの用紙１８と略同一である。
【００２３】
帯電系列とは、２種類の物質を互いに摩擦して帯電させる場合、正（プラス）に帯電しやすい物質を上位に、負（マイナス）に帯電しやすい物質を下位に並べたものをいう。物質の帯電極性は摩擦する相手によって変わり、帯電系列の上位の物質と下位の物質を擦りあわせると上位の物質がプラス、下位の物質がマイナスに帯電する。即ち、搬送ガイド部材３０に接触した用紙１８は、帯電系列が下位の搬送ガイド部材３０との摩擦によりプラスに帯電する。
【００２４】
図３は、金属製の搬送ガイドを配置した場合と、金属製の搬送ガイドの表面に用紙１８よりも帯電系列が下位である合成樹脂製の搬送ガイド部材３０を取り付けた場合における、用紙１８の電位測定結果を示すグラフである。なお、用紙１８の電位測定位置は、用紙１８が搬送ガイド部材３０を通過した直後（搬送ガイド部材３０の下流側直近）である。
【００２５】
図３に示すように、用紙１８よりも帯電系列が下位である合成樹脂製の搬送ガイド部材３０を配置した場合（線Ｖ１で表示）は、測定開始から所定時間経過後（約０．５秒後）に用紙１８の電位が上昇し始め、１．５秒後にピーク電位である約８０００Ｖまで上昇した後、時間の経過と共に用紙１８の電位は徐々に０Ｖまで低下している。用紙１８の電位がこのように変化するのは、用紙１８の先端がレジストローラー対１３に到達した後に搬送ガイド部材３０との摺擦が開始し、用紙１８の後端が給紙ローラー対１２ｂを通過した後は搬送ガイド部材３０との摺擦が弱くなるためである。
【００２６】
これに対し、金属製の搬送ガイドを配置した場合（線Ｖ２で表示)は、用紙１８の電位はピーク電位でも２０００Ｖ程度である。この結果より、用紙１８よりも帯電系列が下位である合成樹脂製の搬送ガイド部材３０を配置することで、用紙１８をプラスに帯電させることが可能になることがわかる。
【００２７】
図４は、図３のような帯電挙動の用紙１８を通紙した場合の、感光体ドラム１の表面電位の測定結果を示すグラフである。図４に示すように、用紙１８よりも帯電系列が下位である合成樹脂製の搬送ガイド部材３０を配置した場合（線Ｖ３で表示）は、金属製の搬送ガイドを配置した場合（線Ｖ４で表示）に比べて感光体ドラム１の表面電位の低下が抑制されている。この結果より、用紙１８よりも帯電系列が下位である樹脂を搬送ガイド部材３０に用いることで、プラスに帯電した用紙１８の電荷が感光体ドラム１に供給され、感光体ドラム１の表面電位を増加させることが分かる。
【００２８】
さらに本実施形態では、例えば帯電装置２の経時劣化により感光体ドラム１の表面電位が低下した場合、或いは、画像形成装置１００が感光体ドラム１の表面電位が低下するような印字モードや温湿度条件で使用された場合に、搬送ガイド部材３０を用いた用紙１８の摩擦帯電を積極的に行う用紙帯電モードを実行することで、感光体ドラム１の表面電位の低下を抑制するとともに、感光体ドラム１の表面電位が低下しない通常の画像形成時においては用紙１８を摩擦帯電させないようにして、感光体ドラム１の表面電位に変化を与えないようにしている。
【００２９】
用紙１８を積極的に帯電させる方法としては、給送ユニット１２及びレジストローラー対１３における用紙搬送速度を調整する方法が挙げられる。図５に示すように、レジストローラー対１３の線速（搬送速度）が、給紙ローラー対１２ｂの線速よりも速ければ、用紙１８は給紙ローラー対１２ｂとレジストローラー対１３の間で引っ張り合いになり、その間の湾曲部１１ａの内コーナー側に配置された搬送ガイド部材３０と用紙１８とが強く擦られ、用紙１８は強く摩擦帯電されることになる（用紙帯電モード）。
【００３０】
逆に、図６に示すように、給紙ローラー対１２ｂの線速が、レジストローラー対１３の線速よりも速ければ、用紙１８は給紙ローラー対１２ｂとレジストローラー対１３の間で撓むため、用紙１８が搬送ガイド部材３０によって摩擦帯電することはより少なくなり、用紙自体の帯電も小さくなる（帯電抑制モード）。
【００３１】
即ち、給送ユニット１２及びレジストローラー対１３における用紙１８の搬送速度の関係（搬送速度比）を調整することによって、用紙１８の摩擦帯電量をコントロールすることが可能になり、使用状況やコマンドなどにより、感光体ドラム１の表面電位の安定化を図ることが可能になる。例として表１に示すように、給送ユニット１２及びレジストローラー対１３における搬送速度の関係を変化させた複数のモードに切り替え可能とすることによって、用紙１８と搬送ガイド部材３０との摩擦による用紙１８の帯電性を変化させることができ、感光体ドラム１の表面電位への影響を可変させることが可能になる。
【００３２】
【表１】
0005999847.tif 000002
【００３３】
モード１は、レジストローラー対１３に対する給送ユニット１２の搬送速度比（線速比）が１００．１％であり、レジストローラー対１３の搬送速度に比べて給送ユニット１２の搬送速度の方が速い。そのため、給紙ローラー対１２ｂとレジストローラー対１３の間で用紙１８が撓み、搬送ガイド部材３０による用紙１８の帯電は行われない。
【００３４】
モード２は、レジストローラー対１３に対する給送ユニット１２の搬送速度比が１００％であり、レジストローラー対１３の搬送速度と給送ユニット１２の搬送速度が等しい。そのため、用紙１８は搬送ガイド部材３０に適度に接触し、用紙１８は若干プラスに帯電される。なお、通常の画像形成時にはモード２に設定されている。
【００３５】
モード３は、レジストローラー対１３に対する給送ユニット１２の搬送速度比が９９．９％であり、レジストローラー対１３の搬送速度に比べて給送ユニット１２の搬送速度の方が遅い。そのため、給紙ローラー対１２ｂとレジストローラー対１３の間で用紙１８が引っ張られ、用紙１８は搬送ガイド部材３０に強く摺擦されて用紙１８は強くプラスに帯電される。
【００３６】
なお、モード３において用紙１８が搬送ガイド部材３０に摺擦されるのは、図３に示されるように、用紙１８の先端がレジストローラー対１３に到達した後、用紙１８の後端が給送ユニット１２（給紙ローラー対１２ｂ）を通過するまでの間である。そのため、用紙１８の搬送方向の一部のみがプラスに帯電されることになる。従って、感光体ドラム１の周方向全域に用紙１８の帯電領域を接触させるために、搬送ガイド部材３０に摺擦される用紙１８の搬送方向の長さを感光体ドラム１の１周分の長さ以上とすることが好ましい。
【００３７】
図７は、本発明の画像形成装置１００における用紙帯電モードの制御例を示すフローチャートである。必要に応じて図１〜図６を参照しながら、図７のステップに沿って用紙帯電モード、及び帯電抑制モードの実行手順について説明する。
【００３８】
感光体ドラム１の外周面近傍には、感光体ドラム１の表面電位を測定する表面電位測定装置（図示せず）が配置されている。表面電位測定装置による表面電位の測定結果は制御部９０（図１参照）に送信され、測定された表面電位が所定範囲（基準値）にある否かが判断される（ステップＳ１）。
【００３９】
表面電位が所定範囲でない場合（ステップＳ１でＮＯ）、次に表面電位が所定範囲よりも低下しているか否かが判断される（ステップＳ２）。表面電位が所定範囲よりも低下している場合（ステップＳ２でＹＥＳ）、制御部９０からの制御信号によってレジストローラー対１３の線速を上昇させて（ステップＳ３）、表１のモード２からモード３（用紙帯電モード）に変更する。その結果、用紙１８の感光体ドラム１との接触面が搬送ガイド部材３０に摺擦されてプラスに帯電される。そして、プラスに帯電された用紙１８が転写ニップ部に搬送されることで用紙１８の電荷が感光体ドラム１側に移動し、感光体ドラム１の表面電位の低下が抑制される。
【００４０】
一方、表面電位が所定範囲よりも上昇している場合は（ステップＳ２でＮＯ）、制御部９０からの制御信号によってレジストローラー対１３の線速を低下させて（ステップＳ４）、表１のモード２からモード１（帯電抑制モード）に変更する。その結果、給紙ローラー対１２ｂとレジストローラー対１３の間で用紙１８が撓むため、用紙１８と搬送ガイド部材３０との摺擦は行われず、用紙１８の帯電が確実に防止される。
【００４１】
そして、感光体ドラム１の表面電位が所定範囲になったか否かが判断され（ステップＳ５）、表面電位が所定範囲でない場合はステップＳ２に戻り、モード１またはモード３を継続する。また、表面電位が所定範囲になった場合はレジストローラー対１３の線速を元に戻し（ステップＳ６）、モード１またはモード３からモード２に変更して処理を終了する。また、ステップＳ１において感光体ドラム１の表面電位が所定範囲内である場合（ステップＳ１でＹＥＳ）は、モード１またはモード３への変更を行わずにモード２を継続する。
【００４２】
上記の制御によれば、帯電装置２の経時劣化や画像形成装置１００の使用環境、印字モードの変化等により感光体ドラム１の表面電位が低下した場合に、用紙１８の感光体ドラム１との接触面を搬送ガイド部材３０に摺擦させる用紙帯電モードを実行することで、レジストローラー対１３の線速を調整するだけの簡易な制御で表面電位の低下を効果的に解消できる。
【００４３】
また、帯電装置２による帯電過剰等により感光体ドラム１の表面電位が上昇した場合は、用紙１８を撓ませて搬送ガイド部材３０との摺擦を抑制する帯電抑制モードを実行することで、感光体ドラム１の表面電位の更なる上昇を防止することができる。
【００４４】
その他本発明は、上記実施形態に限定されず、本発明の趣旨を逸脱しない範囲で種々の変更が可能である。例えば、上記実施形態ではレジストローラー対１３の線速を可変させることで用紙帯電モードまたは帯電抑制モードを実行しているが、レジストローラー対１３に代えて給紙ローラー対１２ｂの線速を可変させて用紙帯電モードまたは帯電抑制モードを実行することも可能である。さらに、給紙ローラー対１２ｂとレジストローラー対１３の両方の線速を可変させても良い。
【００４５】
また、上記実施形態では断面円弧状の搬送ガイド部材３０を用いたが、搬送ガイド部材３０の形状や大きさは、画像形成装置１００の仕様、或いは使用される用紙１８のサイズ等に応じて適宜変更可能である。また、上記実施形態では感光体ドラム１の帯電極性が正（プラス）であるため、用紙１８より帯電系列が下位である合成樹脂で搬送ガイド部材３０を形成したが、感光体ドラム１の帯電極性が負（マイナス）である場合は、用紙１８より帯電系列が上位である合成樹脂で搬送ガイド部材３０を形成すれば良い。
【００４６】
また、本発明は図１に示したモノクロ複合機に限らず、カラープリンターやカラー複合機、モノクロプリンター等の、電子写真方式を用いた他の画像形成装置にも適用可能である。
【産業上の利用可能性】
【００４７】
本発明は、電子写真方式を利用した画像形成装置に利用可能である。本発明の利用により、記録媒体の帯電を利用して像担持体の表面電位の低下を抑制することで、常に安定した画像形成が可能な画像形成装置を提供できる。
【符号の説明】
【００４８】
１                感光体ドラム（像担持体）
２                帯電装置
３                露光装置
４                現像装置
７                転写ローラー（転写部材）
９                定着装置
１０              給紙カセット（記録媒体収納部）
１１              用紙搬送路（記録媒体搬送路）
１１ａ            湾曲部
１２              給送ユニット
１２ａ            ピックアップローラー
１２ｂ            給紙ローラー対
１３              レジストローラー対
１８              用紙（記録媒体）
３０              搬送ガイド部材
９０              制御部
１００            画像形成装置
Ｐ                画像形成部
【図１】
0005999847.tif 000003
【図２】
0005999847.tif 000004
【図３】
0005999847.tif 000005
【図４】
0005999847.tif 000006
【図５】
0005999847.tif 000007
【図６】
0005999847.tif 000008
【図７】
0005999847.tif 000009